(57)【特許請求の範囲】
【請求項１】
ブロー成形により中空の収容タンクとして形成された台座と、該台座に立設される支柱と、該支柱の上端側に設けられる上の保持部と、前記台座に設けられる下の保持部と、該上下の保持部によって保持される柔軟な表示シートと、該表示シートの下端部に横方向に取着された保持バーとを具え、該上下の保持部は、前記表示シートの上下の端部を着脱可能に保持できるものとなされた表示スタンドにおいて、
前記下の保持部は、前記台座の上面に左右方向に延長するように凹設され且つ前記保持バーを収めるための収容凹所と、基板に、該収容凹所の前後の一方の側部から他方の側部に向けて突出する保持片を具えた保持部材とから構成され、前記収容凹所に、上下方向に貫通した装着孔が設けられており、前記保持片は、前記装着孔をその下側から上に向けて通過でき、所要の通過状態で、前記基板の縁部分が前記装着孔の下側の縁部分に当接して前記保持部材の上方向への脱落が阻止されており、前記保持片と前記収容凹所とによって左右方向に延びる挿通孔部が形成され、該挿通孔部の上部には、該保持片の先端とそれに対向する収容凹所の側部との間で、前記表示シートの下端側を左右方向に通過させる通し溝部が、台座の左右方向で見た中央にのみ設けられており、前記保持片は、前記表示シートが上下方向で張った状態となった時に前記保持バーを上側から押さえ、該保持バーが前記通し溝部から上方向に脱出するのを阻止することを特徴とする表示スタンド。
【発明の詳細な説明】
【０００１】
【発明の属する技術分野】
本発明は、布や柔軟な合成樹脂シート等を用いて形成された柔軟な表示シートの上下の端部を、該表示シートが張った状態で保持し得る表示スタンドに関するものである。
【０００２】
【従来の技術】
広告が表示された布等からなる表示シートの上下の端部を着脱可能に保持でき、且つ該表示シートにこれが上下方向で張った状態となるよう張力を付与できるように構成された簡易タイプの表示スタンドとしては、台座或いは支柱から上方向等に突設されたＦＲＰ製等のテンションバーを用いた構成のものが種々提供されている。
【０００３】
その一例を図２４〜２６に基づいて説明すれば、該表示スタンドａは、前後方向に長いパイプからなる台座部材ｂの前端に、広告が表示された布製等の表示シートｃの下の端部ｄに取着された左右方向の保持バーｅを着脱可能に保着するための、前方に開口し且つ左右方向に長い下のＣ字状保持片ｆが設けられる一方、該台座部材ｂの後端には、パイプ状の支柱ｇが立設されていた。そして該支柱ｇには、弾性的に湾曲変形し得るテンションバーｈが、該支柱ｇの長さ方向に出し入れ可能に収容されており、該テンションバーｈの上端に、前記表示シートｃの上の端部ｊに取着された左右方向の保持バーｋを着脱可能に保着するための、斜め上方に開口し且つ左右方向に長い上のＣ字状保持片ｍを設けた構成を有していた。
【０００４】
そして図２５〜２６に示すように、前記表示シートｃの上下の端部分ｊ，ｄは後側に袋状に折り返されると共に、その折り返し片ｎの縁部ｏがこれに対向する前側部分ｐに縫着されて上下の筒状挿通部ｑ，ｒが形成されており、該筒状挿通部ｑ，ｒに、前記上下の保持バーｋ，ｅが挿通可能となされていた。該上下の筒状挿通部ｑ，ｒを形成する要領は、表示シートｃの上下の端部側ｊ，ｄの中央部を所要に欠切し、該切欠部ｓの左右部分をなす折り返し片ｎ，ｎを後側に折り返すと共に該折り返しの縁部ｏ，ｏをこれに対向する前側部分ｐに縫着して行っており、該切欠部ｓによって形成された上下の開口ｔ，ｕで、前記上下の保持バーｋ，ｅの中央部分の後側ｖ，ｗが露出するようになされていた。
【０００５】
然して、かかる構成の表示スタンドａによって、前記表示シートｃをこれが上下方向で張った状態に保持するには、前記テンションバーｈを上側に引き上げた状態で、該テンションバーｈを弾性湾曲変形させ、前記上下の保持バーｋ，ｅの露出状態にある前記後側ｖ，ｗを、前記上下のＣ字状保持片ｍ，ｆに弾性的に保着させていた。そして、これによるテンションバーｈの付勢作用により前記表示シートｃに上下方向の張力を付与し、該表示シートｃを上下方向に張った状態となすものであった。
【０００６】
【発明が解決しようとする課題】
しかしながら、テンションバーｈの弾性湾曲変形を利用した前記表示スタンドａによるときには種々の問題点があった。これを図２４に示す表示スタンドを例にとって説明すれば、次のようである。
(1) 表示シートｃに張力を付与する手段として、テンションバーｈの弾性湾曲変形に伴う付勢力を利用しているため、表示シートｃの上下長さが長い場合には、張力が不十分となって表示シートに弛みが発生することがある等、表示シートの保持が不安定化しやすい問題があった。逆に表示シートｃの上下長さが短い場合は、テンションバーｈの湾曲状態が強くなって張力が過大となり、前記表示シートの上端に取り付けられた保持バーｋを上のＣ字状保持片ｍから取り外す際に、該テンションバーｈが湾曲状態から直線状態に急激に戻ろうとする強い反発現象が生じて怪我をする危険があった。
【０００７】
(2) テンションバーｈの張力を利用する前記表示スタンドａによるときは、表示シートｃに付与できる張力に限界があるために、風圧によって表示シートに弛みが発生して表示シートの保持が不安定化しやすかった。又、風が吹いたときに風圧でＣ字状保持片ｍ，ｆと保持バーｋ，ｆとの係合が外れる恐れがあり、更に表示スタンドが風で倒れた場合は、その衝撃で、前記保持バーがＣ字状保持片から外れる恐れがあり、テンションバーｈが強い復元力で急激に戻ることによる危険があった。
このように従来の表示スタンドは、風に弱い不安定さがあり、屋外では使用しにくく用途が限られる問題があった。
【０００８】
(3) 更に、テンションバーｈの上端に設けた上のＣ字状保持片ｍに、上の保持バーｋを取り付ける際、バネ性の強いテンションバーｈを無理に湾曲変形させなければならないことから、取り付け作業がしにくく、又、取り付けし損なってテンションバーが弾性的に急激に直線状に戻った場合は怪我をする恐れもある等、作業に危険が伴った。
【０００９】
(4) 更に従来の表示装置においては、前記Ｃ字状保持片ｍ，ｆを保持バーｋ，ｅに取り付けるために、図２５〜２６に示すように、前記欠切部ｓ，ｓを設けなければならなかったが、そのためには、前記折り返し片ｎ，ｎを手作業で所要にカットして前記欠切部ｓ，ｓを形成する工程を要し、又該欠切部ｓの右側の折り返し片ｎと左側の折り返し片ｎを個別的に折り返して縫製しなければならず、前記筒状挿通部ｑ，ｒの形成に多大の手間を要して表示シートｃの製造能率が悪く又コスト上昇を招く問題があった。更に、欠切部が必ずしも正しく位置決めして形成されない問題も発生した。
【００１０】
(5) 又筒状挿通部ｑ，ｒに開口ｔ，ｕを形成するため、その部分における剛性が弱くなり、表示シートｃの上端部分や下端部分が該開口部分で左右方向でたるみやすく、これが原因して、表示シートに例えば図２７に示すような縦方向のしわｗが発生し、広告等の表示効果を損なう問題もあった。
本発明は、かかる問題点を解決し得る表示スタンドの提供を目的とするものである。
【００１１】
【課題を解決するための手段】
前記課題を解決するため本発明い以下の手段を採用する。
即ち本発明に係る表示スタンドは、ブロー成形により中空の収容タンクとして形成された台座と、該台座に立設される支柱と、該支柱の上端側に設けられる上の保持部と、前記台座に設けられる下の保持部と、該上下の保持部によって保持される柔軟な表示シートと、該表示シートの下端部に横方向に取着された保持バーとを具え、該上下の保持部は、前記表示シートの上下の端部を着脱可能に保持できるものとなされた表示スタンドにおいて、前記下の保持部は、前記台座の上面に左右方向に延長するように凹設され且つ前記保持バーを収めるための収容凹所と、基板に、該収容凹所の前後の一方の側部から他方の側部に向けて突出する保持片を具えた保持部材とから構成され、前記収容凹所に、上下方向に貫通した装着孔が設けられている。そして前記保持片は、前記装着孔をその下側から上に向けて通過でき、所要の通過状態で、前記基板の縁部分が前記装着孔の下側の縁部分に当接して前記保持部材の上方向への脱落が阻止されており、前記保持片と前記収容凹所とによって左右方向に延びる挿通孔部が形成され、該挿通孔部の上部には、該保持片の先端とそれに対向する収容凹所の側部との間で、前記表示シートの下端側を左右方向に通過させる通し溝部が、台座の左右方向で見た中央にのみ設けられており、前記保持片は、前記表示シートが上下方向で張った状態となった時に前記保持バーを上側から押さえ、該保持バーが前記通し溝部から上方向に脱出するのを阻止するものである。
【００１２】
【発明の実施の形態】
以下、本発明の実施の形態を図面に基づいて説明する。
図１〜２において、本発明に係る表示スタンド１は、台座２と、該台座２に立設される支柱３と、該支柱３の上端側に設けられる上の保持部５と、前記台座２に設けられる下の保持部６とを具え、該上下の保持部５，６は、柔軟な表示シート７の上下の端部９，１０を着脱可能に保持できるものとなされており、又前記上下の保持部５，６は、前記表示シート７が上下方向で張った状態となるように張力を付与できるよう、前記上の保持部５を前記支柱３に対して上下動可能とし、該上の保持部５を、前記表示シート７に所要の張力を付与した状態で固定可能としてなるものである。
【００１３】
前記台座２は、本実施の形態においては図３〜６に示すように、ブロー成形されており、所定量の水を充填できる中空の収容タンクとして形成され、平面視で左右方向に長い長方形状を呈し、その下面１１はフラットに形成されると共に、その上面１２の後側部分１３は、側面視で上に凸の湾曲面に形成されている。そして上面部の前側部分１５には、左右方向に延長するように収容凹所１６が凹設されている。該収容凹所１６は、その両端側部分１７，１７が前方に向けて稍拡大しており、中間部分１９は、Ｕ字状底面２０を有している。
【００１４】
そして台座２の後部中央には、図３〜５に示すように、上下方向に貫通した支柱保持孔２１が設けられており、該支柱保持孔２１の内周面の左右側には、図４に示すように、上下方向に連続する条溝２２，２２が設けられている。又台座２の前部の中央には、図３〜６に示すように、保持部材２３を下側から挿入させて固定状態とするための左右方向に稍長い装着孔２５が、前記収容凹所１６の前記底面２０を貫通する状態で設けられており、その下端側は、左右部に係合面２７，２７が設けられて拡大している。
【００１５】
前記保持部材２３は、本実施の形態においては樹脂で射出形成されており、図３〜７に示すように、矩形状基板２９の上面に首部３０を介して、前記収容凹部１６の前側部３１から後側部３２に向けてＣ字状に屈曲する保持片３３が連設されている。そして該保持部材２３が、前記装着孔２５に下側から上に向けて圧入状態に押し込まれ、これによって前記保持片３３が装着孔２５を下側から上に向けて通過でき、前記基板２９の左右端部分３５，３５が、図７に示すように前記左右の係合面２７，２７と当接した係合状態で、該基板２９は、前記装着孔２５の下側部分３６に納められ、その下面３７は前記台座２の下面１１から浮き上がっている。又図５、図１８に示すように、前記保持片３３と前記収容凹所１６の後側部３２とによって、左右方向に延びる挿通孔部３９が形成されており、該挿通孔部３９の上部には、前記保持片３３の先端４０と前記収容凹所１６の後側部３２との間で、左右方向に連続した通し溝部４１が形成されるようになされ、この状態で、Ｃ字状の保持片３３の内面下端部分４２が前記収容凹所１６の中間部分のＵ字状底面２０と略面一となるように構成されている。このように構成された保持部材２３と収容凹部１６とによって、前記表示シート７の下の端部１０を着脱可能に保持する前記下の保持部６が構成されている。
【００１６】
又図４に示すように、前記台座２の下面１１の後部の左右部分には、浮かし突部４３，４３が設けられると共に、前側の左右部分には、高さ調節ネジ４５，４５が設けられている。図８に示すように、台座２を設置させるための面４６が前方向に傾斜している場合は、該高さ調節ネジ４５を適宜回動操作して、台座の下面１１を略水平状態とする。又図３に示すように、台座１２の上面部の一端に寄せて、蓋片４７で閉蓋される注入口が設けられている。
【００１７】
又前記支柱３は図３、図９に示すように、中空パイプ状をなし且つ対向側が平坦な係合面５０，５０に形成された支柱本体５１の下端部分５２に、上端開放の円筒状をなす取付部材５３が回り止めされて圧入状態に嵌着されてなる。この嵌着は図９に示すように、該取付部材５３の上下方向の孔部５５の内面対向側に設けられた平坦な係合面５５，５５を前記係合面５０，５０に当接させて行われ、これにより、取付部材５３は支柱本体５１に回り止めされている。
【００１８】
又前記取付部材５３には図３、図９に示すように、その外周面の対向側に突条５７，５７が上下方向に設けられ、その上端には円形鍔部５９が設けられている。然して、該突条５７，５７を前記条溝２２，２２に位置合わせして取付部材５３を前記支柱保持孔２１に挿入し、且つ図１に示すように、前記円形鍔部５９を前記支柱保持孔２１の上端縁と当接させることにより、支柱３は、その軸線回りの回り止めが図られて前記台座２に立設状態とされる。
【００１９】
又前記支柱本体５１の上端部分には、図１０〜１１に示すように高さ調節具６２が設けられている。該高さ調節具６２は、支柱本体５１の上端部分に回り止めされて圧入状態に嵌着される雌ネジ部材６３と、該雌ネジ部材６３に螺合するネジ軸部材６５とから構成されている。
【００２０】
前記雌ネジ部材６３は、前記支柱本体５１の上端部分に嵌着される筒体６６の上端に短寸の円筒部６７を連設してなり、該円筒部６７の内周面に螺旋突条６９，６９が対向して設けられている。該筒体６６は図１２に示すように、その内周面７０の対向側に平坦な係合面７１，７１が形成されており、該係合面７１，７１が前記支柱本体５１の係合面５０，５０と当接状態となるように該筒部６７を支柱本体５１の上端部分６１に嵌着することにより、該筒体６６は支柱本体５１に対して回り止めされる。又前記筒体６６の外周面には、その対向側に平坦な係合面７２，７２が設けられている。
【００２１】
又前記ネジ軸部材６５は、前記螺旋突条６９，６９と螺合し得る螺旋溝７３が設けられてなるネジ軸部７５の上端に、円環状の支持鍔部７６を形成する円板７７が設けられると共に、該円板７７の上面中央部には摘まみ突部７９が設けられている。然して、該ネジ軸部材６５のネジ軸部７５を前記雌ネジ部材６３に螺合し、その螺合状態を調節することによって、前記支持鍔部７６の上下高さを、例えば４〜５ｃｍ程度の範囲で調節できる。
【００２２】
又前記上の保持部５は、図１１、図１３、図１４に示すように、前記雌ネジ部材６３に被る保持部本体８０と、該保持部本体８０の前面側に対して着脱可能なカバー部材８１とから構成されている。
【００２３】
該保持部本体８０は、図１１、図１４に示すように、左右方向に稍長い受部８２の左右方向中央部に、上下方向に長い筒部８３が設けられており、該筒部８３の内周面の対向部位には、図１１〜１２に示すように、前記筒体６６に設けた係合面７２，７２と当接し得る平坦な係合面８５，８５が設けられている。又該筒部８３の頂部には、図１１、図１４、図１６に示すように、前記摘まみ突部７９を上方向に突出させるための円形孔８６が設けられており、図１６に示すように、該円形孔８６の内側の周縁部分としての被支持部８７が、前記支持鍔部７６の上面としての支持部８９で下方から支持される如くなされている。
【００２４】
又前記受部８２の前面側は、図１１に示すように、上の垂直面９０の下端に４分割円弧面９１が連設されて受け凹部９２が形成されると共に、該４分割円弧面９１の先端において、下の垂直面９３が下方向に連設されている。そして前記上の垂直面９０の左右に位置させて、前記受部８２を前後方向に貫通するように矩形の係合孔９５，９５が設けられている。
【００２５】
又前記カバー部材８１は、図１１、図１３に示すように、前記垂直面９０の下側部分及び前記４分割円弧面９１と協働して、左右方向に長い略円形孔状をなす図１６の保持孔９６を形成できるように、半円弧状の受け凹部９７が下側部分に設けられると共に、上側部分には、前記左右の係合孔９５，９５に前から後ろに向けて挿通せしめられる係合突片９９，９９が突設されている。そして両係合孔９５，９５に挿入せしめられた係合突片９９，９９は、内方向に弾性変形し且つその後弾性復元することによって、両係合突片９９，９９の先端部分の外面に突設された係合爪片１００，１００が図１４〜１５に示すように前記係合孔９５，９５の後側の外縁１０１，１０１に係合することにより、カバー部材８１が前記保持部本体８０から脱落不能となされている。そしてこの状態で、図１６に示すように、前記下の垂直面９３と、カバー部材８１の下端１０２との間に、下方に向けて前方に開口する溝部１０３が形成されるようになされている。
【００２６】
又前記表示シート７は、布や合成樹脂シート等を用いてなる柔軟なシートとして形成されており、その表面には、広告文等の各種の表示が付されるものである。そして該表示シート７の上下端部分は図１７に示すように、後側に袋状に折り返され、その折り返し片１０５の先端縁１０６が、これに対向する前側部分（シート部分）１０７に縫製されることにより、例えば、両端に抜け止め部１０９，１０９が設けられた丸パイプとしての保持バー１１０，１１０を挿通させ得る筒状挿通部１１１ａ，１１１ｂが形成される。
【００２７】
然して、前記構成を有する表示スタンド１と前記表示シート７とを用いて広告表示を行うに際しては、前記台座２の後部に設けられた前記支柱支持孔２１（図３〜５）に、前記支柱３の下端部分に設けられた取付部材５３の両側の突条５７，５７を、図９に示すように、前記条溝２２，２２に係合させて該取付部材５３を下方向に押し込み、円形鍔部５９を支柱保持孔２１の上端縁に当接状態とする。これにより支柱３が、台座２に回り止めされて固定状態に立設される。なお台座２には、予め水を充填してウエイトとする。
【００２８】
そして図１６に示すように、前記保持部本体８０の前記筒部８３に、支柱本体５１の上端部分６１に嵌着された前記雌ネジ部材６３を挿通状態にする。その際、前記筒部８３に設けられた前記係合面８５，８５と、前記筒体６６の外周面に設けられた前記係合面７２，７２とを、図１２に示すように当接可能の状態とし、且つ前記摘まみ突部７９を前記円形孔８６から上方に突出させ、図１６に示すように、前記雌ネジ部材６３の支持鍔部の上面（支持部）８９で、前記筒体の頂部に設けられた被支持部８７を支持状態とする。この支持状態は、支柱の軸線回りにスリップ可能の状態である。
【００２９】
然る後図１〜２に示すように、前記表示シート７の下の端部１０を、前記下の保持部６に取り付けるのであるが、その際図１８に示すように、前記下の筒状挿通部１１１ｂに挿通状態にある前記下の保持バー１１０を、前記収容凹所１６に嵌め入れた状態で、その一端側の抜け止め部１０９を、前記Ｃ字状の保持片３３と前記収容凹所１６の後側部３２との間に形成された挿通孔部３９の一端側（入口端）１１３に位置合わせして後、前記表示シートの筒状挿通部１１１ｂの一端部１１５を指先で摘んで、前記挿通孔部３９の出口端１１６に向けて矢印方向に引っ張り、更に前記収容凹所１６の他端側１１７に向けて引っ張りを継続する。このように引っ張るとき、前記筒状挿通部の一端部１１５が前記抜け止め部１０９に引っ掛かった状態となるために、筒状挿通部１１１ｂと前記下の保持バー１１０とが一体となって挿通孔部３９を移動する。この移動は、前記筒状挿通部１１１ｂの基端側、即ち表示シートの下端側１１９が前記通し溝部４１（図５、図１８）を通過して行われる。これにより、下の筒状挿通部１１１ｂ内に挿通状態にある下の保持バー１１０は、後述のように表示シート７に張力が付加された状態で、図１９に示すように、前記Ｃ字状の保持片３３の先端部分（通し溝部の縁部分）１２０によって上側から押さえられた状態となり、該保持バー１１０は、通し溝部４１から脱出しない状態で保持される。
【００３０】
このようにして、表示シート７の下の端部１０に装着された保持バー１１０を、図１に一点鎖線で示すように、前記収容凹所１６に左右バランスよく収めて後、図２０に示すように、表示シート７の上端に設けられている筒状挿通部１１１ａに挿入せしめられている保持バー１１０の中間部分１２１を、該筒状挿通部１１１ａと共に前記保持部本体８０の、前記受け凹部９２に嵌め入れる。
【００３１】
然る後、前記カバー部材８１の受け凹部９７を前記保持部本体８０の受け凹部９２と向き合った状態にし、且つ、前記左右の係合突片９９，９９を前記左右の係合孔９５，９５に挿入せしめ、図１４〜１５に示すように、該係合突片９９，９９の先端部分に設けた係合爪片１００を係合孔９５，９５の前記後側の外縁１０１，１０１に係合状態とする。これにより図１６に示すように、前記上の保持バー１１０が前記保持孔９６内に、前記溝部１０３を通して落下しない状態で拘束される。
【００３２】
このようにして前記表示シート７は、張力が付加されない状態で、上下の保持部５，６に保持される。
【００３３】
その後、前記ネジ軸部材６５を正回転させて上方向に所要に突出させると、図２１に示すように、前記支持鍔部（支持部）８９を介して前記上の保持部５が、支柱３に対して上方向に所要量移動し、これにより、表示シート７に上下方向の張力が適切に付与され、該表示シート７が図２に示すように、上下方向で張った状態となる。そしてネジ軸部材６５と雌ネジ部材６３との螺合によって、上の保持部５がその上昇位置で固定されるため、表示シート７の張った状態が継続して安定的に維持されることになる。この状態で、図１９に示すように、前記下の保持部６に設けられている前記通し溝部４１が、前記表示シート７の下の筒状挿通部１１１ｂの縫製部位１３１よりも下側に位置すると共に、図２１に示すように、前記上の保持部５の前記溝部１０３が、前記表示シート７の上の筒状挿通部１１１ａの縫製部位１３２よりも上側に位置する。
【００３４】
かかることから、表示シート７を保持した表示スタンド１を屋外に設置した場合も、風圧の影響を受けて高さ調節具６２（図１０）が縮小方向に緩む恐れがない。なお本実施の形態においては、表示シート７は、例えば図２に示すように、その下端から上端に向けて若干（５〜１０度程度）後側に傾斜した状態で保持される。
【００３５】
このようにして取り付けられた状態にある表示シート７を取り外す際には、前記ネジ軸部材６５を、それがねじ込まれる方向に回転させると、表示シート７の張力を解除できる。この状態で、前記係合突片９９，９９の、前記保持部本体８０の後面側に突出した部分１２５，１２５を図１５に矢印で示すように内側に弾性変形させて、その係合爪片１００と係合孔の後側の外縁１０１との係合状態を解除すると、カバー部材８１は保持部本体８０から取り外されることになり、これにより、表示シート７の上の端部９を上の保持部５から取り外すことができる。その後、表示シート７の下の端部１０に装着されている前記保持バー１１０を前記挿通孔部３９から抜き取ることにより、表示シート７を表示スタンド１から取り外すことができる。
【００３６】
〔その他の実施の形態〕
本発明は、前記実施の形態で示したものに限定されるものでは決してなく、「特許請求の範囲」の記載内で種々の設計変更が可能であることはいうまでもない。その一例を挙げれば次のようである。
【００３７】
(1) 通し溝部を、図５に示すようなＣ字状等を呈する保持片３３を具える保持部材２３を以って構成する場合、該保持片３３は図２２に示すように、その上端側が、収容凹所の後側部３２から前側部３１に向かって突出するように構成されることもある。この場合は、該上端側の先端縁４０と、それに対向する収容凹所１６の前側部３１との間で通し溝部４１が形成される。
【００３８】
(2) 表示シートに張力を付与するために、上の保持部を上下動させる手段は、前記のようなネジ方式を採用することの他、例えばリンク機構を応用してレバーの回動操作等によって行わせることもできる。
【００３９】
【発明の効果】
本発明に係る表示スタンドは、表示シートの上下の端部を上下の保持部に着脱可能に保持できるように構成しているため、従来の立て看板とは異なり表示シートの付け替えが容易であるのは元より、以下の如き優れた効果を奏する。
(1) 前記下の保持部を、前記表示シートの下の端部に左右方向に取着された保持バーを挿通させるための挿通孔部を有し、該挿通孔部の上部に、前記表示シートの下端側を左右方向に通過させる通し溝部を有する如く構成したことにより、該下の保持部に表示シートの下の端部を保持させる際、該挿通孔部の一端側から他端側に向かって、保持バーを表示シートの下端側と共に（即ち、表示シートの下の端部が保持バーに取り付いたままの状態で）スライドさせるだけで、表示シートの下端側を前記通し溝部に通しながら、該表示シートの下の端部を下の保持部に容易に保持させることができる。逆にこの保持状態から、保持バーを左右方向で移動させることによって、該保持バーを前記挿通孔部から容易に取り外すことができるのであり、操作性向上を期し得る。
そして、前記通し溝部の溝幅が、保持バーが抜け出さないように設定されているため、保持バーが挿通孔部に挿通せしめられ且つ前記表示シートに張力が付与された状態において、表示シートの下の端部が下の保持部から外れる恐れがない。
【００４０】
(2) テンションバーを使用する従来の表示スタンドにあっては、テンションバーｈの端部及び台座部材ｂの端部を表示シートの上下端部に取り付ける際に、図２５、図２６に示すように、該取り付け部分において、表示シートの端部に欠切部ｓを設け、該欠切部で保持バーを露出させる必要があったが、このように露出状態とするためには、表示シートに特別な加工を施さなければならない作業上の面倒さがあった。これに対して、通し溝部を利用する本発明によるときは、このような欠切部を設ける必要がなく、例えば図１７に示すように、表示シートの端部を袋状に折り返して縁部を縫製するだけで済み、表示シートの製造能率の向上と製造コストの低減を期し得ることとなる。
【００４１】
(3) 台座の上面に、左右方向に延長する収容凹所を設け、該収容凹所の前後の一方の側部から他方の側部に向けて突出する保持片を具える保持部材をこれに組み合わせて、通し溝部を有する挿通孔部を形成しているため、表示シートの下の端部に取り付けられた保持バーを前記収容凹所に納めることができ、該納めた状態で該保持バーを挿通孔部に挿通させることができるため、保持バーが台座の上面側に大きく突出して美観を損なうのを防止できる。又保持部材が台座の上面側に大きく突出状態となることも防止でき、台座の取扱上の安全性向上と台座部分の美観向上を期し得ることとなる。
【００４２】
(4) 前記保持バーを、通し溝部を有する前記挿通孔部に挿通させる場合、該挿通孔部を、台座（例えば４５ｃｍ程度の左右幅を有する）の左右部分に設けたり、台座の左右方向全長に亘って設けることも可能であるが、このように構成した場合は、前記実施の形態におけるように台座の左右方向中央にだけ設ける場合に比べて、通し溝部が２個所になったり、通し溝部の長さが長くなる。そのため、表示シートの下端側を通し溝部に通しながら保持バーを左右方向に移動させる際に、通し溝部の縁部分が表示シートに引っ掛かりやすくなり、保持バーの挿通を円滑に行い難い問題が生ずるが、該挿通孔部を台座の左右方向の中央に比較的短く設けるときは、このような表示シートの引っ掛かりの問題を発生させにくく、保持バーを挿通孔部に円滑に挿通させ得る利点がある。
【００４３】
(5) 台座に、上下方向に貫通した装着孔を設け、該台座とは別体の保持部材を、前記装着孔を下側から上に向けて通し、該保持部材と前記収容凹所の側部との間で、通し溝部を有した挿通孔部を形成する構成を採用しているため、台座が例えばブロー形成により形成されたものである等、その剛性が低い場合にも、該台座と別体の保持部材との協働によって、強度のある挿通孔部を形成できる利点がある。
【００４４】
(6) 台座に収容凹所を設け、その側部と保持部材との間で、通し溝部付きの挿通孔部を形成しているため、保持部材の上方向への突出を目立たなくでき、又、保持部材との間で挿通孔部を形成するための立壁部を台座に設ける必要もなくなり、これらによって台座の美観向上を達成できる。
【図面の簡単な説明】
【図１】  本発明に係る表示スタンドを使用状態で示す斜視図である。
【図２】  その側面図である。
【図３】  表示スタンドの下部構造を分解して示す斜視図である。
【図４】  台座を、下の保持部を構成する保持部材と共に示す斜視図である。
【図５】  下の保持部が設けられた台座を示す断面図である。
【図６】  台座を、下の保持部を構成する保持部材と共に示す断面図である。
【図７】  台座に対する保持部材の取り付け状態を示す断面図である。
【図８】  台座の水平状態を高さ調節ネジの突出によって確保した状態を示す側面図である。
【図９】  台座に対する支柱の取り付け状態を示す断面図である。
【図１０】  支柱の上端部分に設けた高さ調節具を示す斜視図である。
【図１１】  本発明に係る表示スタンドの上部構成を説明する分解斜視図である。
【図１２】  支柱に対する上の保持部の取り付け状態を示す断面図である。
【図１３】  上の保持部を構成するカバー部材を示す斜視図である。
【図１４】  上の保持部をその使用状態を示す斜視図である。
【図１５】  その平面図である。
【図１６】  その断面図である。
【図１７】  表示シートを示す部分斜視図である。
【図１８】  表示シートの下の端部を下の保持部に取り付ける要領を説明する斜視図である。
【図１９】  表示シートの下の端部を下の保持部に保持させて該表示シートに張力を付加した状態を示す断面図である。
【図２０】  表示シートの上の端部を上の保持部に保持させる要領を説明する側面図である。
【図２１】  上の保持部が表示シートの上の端部を保持した状態を、該表示シートに張力が付加された状態で示す断面図である。
【図２２】  下の保持部のその他の態様を示す断面図である。
【図２３】  上の保持部で表示シートの上の端部を保持させる他の要領を示す正面図である。
【図２４】  従来の表示スタンドをその使用状態で示す斜視図である。
【図２５】  その下端側を示す部分斜視図である。
【図２６】  その上端側を示す部分斜視図である。
【図２７】  従来の表示シートの問題点を説明する斜視図である。
【符号の説明】
１  表示スタンド
２  台座
３  支柱
５  上の保持部
６  下の保持部
７  表示シート
９  表示シートの上の端部
１０  表示シートの下の端部
１６  収容凹所
２０  Ｕ字状底面
２１  支柱保持孔
２２  条溝
２３  保持部材
２５  装着孔
３３  保持片
３９  挿通孔部
４１  通し溝部
５３  取付部材
５７  突条
６２  高さ調節具
６３  雌ネジ部
６５  ネジ軸部材
７６  支持鍔部
７９  摘まみ突部
８０  保持部本体
８１  カバー部材
８９  支持部
１０３  溝部
１１１ａ  筒状挿通部
１１１ｂ  筒状挿通部
１３１  縫製部位
１３２  縫製部位
【図１】
0003736625.tif 000002
【図２】
0003736625.tif 000003
【図３】
0003736625.tif 000004
【図４】
0003736625.tif 000005
【図５】
0003736625.tif 000006
【図６】
0003736625.tif 000007
【図７】
0003736625.tif 000008
【図８】
0003736625.tif 000009
【図９】
0003736625.tif 000010
【図１０】
0003736625.tif 000011
【図１１】
0003736625.tif 000012
【図１２】
0003736625.tif 000013
【図１３】
0003736625.tif 000014
【図１４】
0003736625.tif 000015
【図１５】
0003736625.tif 000016
【図１６】
0003736625.tif 000017
【図１７】
0003736625.tif 000018
【図１８】
0003736625.tif 000019
【図１９】
0003736625.tif 000020
【図２０】
0003736625.tif 000021
【図２１】
0003736625.tif 000022
【図２２】
0003736625.tif 000023
【図２３】
0003736625.tif 000024
【図２４】
0003736625.tif 000025
【図２５】
0003736625.tif 000026
【図２６】
0003736625.tif 000027
【図２７】
0003736625.tif 000028